(57)【要約】  表示装置（１）は、オブジェクト検出部（１０３）と、表示部（１４）と、操作受付部（１０２）と、表示制御部（１０１）と、を備える。オブジェクト検出部（１０３）は、表示対象データに含まれるオブジェクトを検出する。表示制御部（１０１）は、表示対象データのうち表示画面として表示部（１４）に表示される範囲のデータ内に、オブジェクト検出部（１０３）により検出されたオブジェクトが存在するか否かを判定し、オブジェクトが存在する場合に、表示部（１４）にスクロールバーを表示させず、オブジェクトが存在しない場合に、表示部（１４）にスクロールバーを表示させる。
2016185806.tif 000002
【特許請求の範囲】
【請求項１】
表示対象データに含まれるオブジェクトを検出するオブジェクト検出部と、
前記表示対象データに基づく表示画面を表示する表示部と、
前記表示画面に対するスクロール操作を受け付ける操作受付部と、
前記操作受付部が受け付けたスクロール操作に基づき前記表示部にスクロール表示を行わせる表示制御部であって、前記表示対象データのうち前記表示画面として前記表示部に表示される範囲のデータ内に、前記オブジェクト検出部により検出されたオブジェクトが存在するか否かを判定し、前記オブジェクトが存在する場合に、前記表示部にスクロールバーを表示させず、前記オブジェクトが存在しない場合に、前記表示部にスクロールバーを表示させる表示制御部と、を備える表示装置。
【請求項２】
前記表示制御部は、前記表示部にスクロールバーを表示させない場合には、前記表示画面が表示される前記表示部における表示領域を、前記表示部にスクロールバーを表示させる場合に当該スクロールバーが表示される前記表示部の表示領域にまで拡大させる、請求項１に記載の表示装置。
【請求項３】
前記表示制御部は、前記表示画面として前記表示部に表示される範囲のデータ内に前記オブジェクトが存在する場合に、前記表示画面をスクロールさせた際にスクロール前の前記表示画面が示す表示内容とスクロール後の前記表示画面が示す表示内容とが変化するか否かを判定し、当該表示内容が変化しないと判定した場合には、前記表示部にスクロールバーを表示させる、請求項１に記載の表示装置。
【請求項４】
前記表示制御部は、前記表示画面として前記表示部に表示される範囲のデータ内に存在するオブジェクトが、同じオブジェクトがスクロール方向に並んで構成されているオブジェクトである場合に、スクロール前の前記表示画面が示す表示内容とスクロール後の前記表示画面が示す表示内容とが変化しないと判定する、請求項３に記載の表示装置。
【請求項５】
前記表示制御部は、前記表示部に表示される範囲のデータ内に前記オブジェクトが存在する場合であって、かつ、当該オブジェクトが画像オブジェクトである場合は、前記表示部にスクロールバーを表示させず、前記表示部に表示される範囲のデータ内に前記オブジェクトが存在する場合であって、かつ、当該オブジェクトが文字オブジェクトである場合に、前記表示部にスクロールバーを表示させる、請求項１に記載の表示装置。
【請求項６】
表示部による表示対象データに含まれるオブジェクトを検出するオブジェクト検出ステップと、
前記表示部が前記表示対象データに基づいて表示する表示画面に対するスクロール操作を受け付ける操作受付ステップと、
前記操作受付ステップで受け付けたスクロール操作に基づき前記表示部にスクロール表示を行わせる表示制御ステップであって、前記表示対象データのうち前記表示画面として前記表示部に表示される範囲のデータ内に、前記オブジェクト検出ステップで検出されたオブジェクトが存在するか否かを判定し、前記オブジェクトが存在する場合に、前記表示部にスクロールバーを表示させず、前記オブジェクトが存在しない場合に、前記表示部にスクロールバーを表示させる表示制御ステップと、を有する表示制御方法。
【発明の詳細な説明】
【技術分野】
【０００１】
本発明は、表示装置および表示制御方法に関し、特に、表示対象データをスクロール表示させる技術に関する。
【背景技術】
【０００２】
画像形成装置、スマートフォン等の携帯端末、およびパーソナルコンピューター等では、液晶ディスプレイ（ＬＣＤ：Liquid Crystal Display）や有機ＥＬ（ＯＬＥＤ：Organic Light-Emitting Diode）等の表示部を備えており、当該表示部に表示対象データを表示させている。【０００３】
ここで、表示部のサイズには限りがあるため、表示対象データの全範囲を一度に表示できない場合がある。この場合、表示対象データの一部の範囲を表示し、ユーザーからのスクロール操作を受け付けたときに、表示画面をスクロール表示させている（例えば、特許文献１参照）。【０００４】
また、表示対象データの一部の範囲を表示する場合には、表示画面の一部にスクロールバーを表示させている（例えば、特許文献２参照）。ユーザーは、当該スクロールバーを確認することで、表示画面がスクロール表示されているか否かを知ることができる。
【先行技術文献】
【特許文献】
【０００５】
【特許文献１】特開２０１４−２０３２０２号公報
【特許文献２】特開２００２−２４４６４１号公報
【発明の概要】
【発明が解決しようとする課題】
【０００６】
スクロールバーを表示した場合、スクロールバーを表示した分だけ表示対象データを表示する表示領域が狭まることになる。表示領域が狭まることを回避するためにスクロールバーを常に表示しないことも考えられるが、表示画面がスクロール表示されているか否かをユーザーが知ることができないおそれがある。【０００７】
本発明は、上記の事情に鑑みなされたものであり、表示対象データを表示する表示領域をできるだけ広く確保しながらも、表示画面がスクロール表示されているか否かをユーザーが知ることを可能にすることを目的とする。
【課題を解決するための手段】
【０００８】
本発明の一局面にかかる表示装置は、オブジェクト検出部と、表示部と、操作受付部と、表示制御部と、を備える。オブジェクト検出部は、表示対象データに含まれるオブジェクトを検出する。表示部は、前記表示対象データに基づく表示画面を表示する。操作受付部は、前記表示画面に対するスクロール操作を受け付ける。表示制御部は、前記操作受付部が受け付けたスクロール操作に基づき前記表示部にスクロール表示を行わせる表示制御部であって、前記表示対象データのうち前記表示画面として前記表示部に表示される範囲のデータ内に、前記オブジェクト検出部により検出されたオブジェクトが存在するか否かを判定し、前記オブジェクトが存在する場合に、前記表示部にスクロールバーを表示させず、前記オブジェクトが存在しない場合に、前記表示部にスクロールバーを表示させる。【０００９】
また、本発明の別の一局面にかかる表示制御方法は、オブジェクト検出ステップと、操作受付ステップと、表示制御ステップと、を有する。オブジェクト検出ステップでは、表示部による表示対象データに含まれるオブジェクトを検出する。操作受付ステップでは、前記表示部が前記表示対象データに基づいて表示する表示画面に対するスクロール操作を受け付ける。表示制御ステップでは、前記操作受付ステップで受け付けたスクロール操作に基づき前記表示部にスクロール表示を行わせる表示制御ステップであって、前記表示対象データのうち前記表示画面として前記表示部に表示される範囲のデータ内に、前記オブジェクト検出ステップで検出されたオブジェクトが存在するか否かを判定し、前記オブジェクトが存在する場合に、前記表示部にスクロールバーを表示させず、前記オブジェクトが存在しない場合に、前記表示部にスクロールバーを表示させる。
【発明の効果】
【００１０】
上記の本発明によれば、表示対象データを表示する表示領域をできるだけ広く確保しながらも、表示画面がスクロール表示されているか否かをユーザーが知ることができる。
【図面の簡単な説明】
【００１１】
【図１】本発明の一実施形態にかかる表示装置の内部構成の概略を示すブロック図である。
【図２】表示対象データの一例を示す図である。
【図３】本発明の一実施形態にかかる表示装置の表示部に表示される表示画面の一例を示す図である。
【図４】本発明の一実施形態にかかる表示装置におけるスクロール表示動作の流れを示すフローチャートである。
【図５】本発明の一実施形態にかかる表示装置の表示部に表示される表示画面の一例を示す図である。
【図６】本発明の一実施形態にかかる表示装置の表示部に表示される表示画面の一例を示す図である。
【図７】本発明の一実施形態にかかる表示装置の表示部に表示される表示画面の一例を示す図である。
【図８】本発明の変形例１にかかる表示装置におけるスクロール表示動作の流れを示すフローチャートである。
【図９】本発明の変形例１にかかる表示装置の表示部に表示される表示画面の一例を示す図である。
【発明を実施するための形態】
【００１２】
以下、本発明の一実施形態にかかる表示装置、表示制御プログラム、および表示制御方法について図面を参照して説明する。図１は、本発明の一実施形態にかかる表示装置の内部構成の概略を示すブロック図である。
【００１３】
本発明の一実施形態にかかる表示装置１は、例えば、スマートフォン等の携帯端末であって、制御ユニット１０と、ＲＯＭ（Read Only Memory）１１と、ＲＡＭ（Random Access Memory）１２と、ＨＤＤ（Hard disk drive）１３と、表示部１４と、通信インターフェイス１５とを備えている。これら各部は、互いにＣＰＵバスによりデータ又は信号の送受信が可能とされている。
【００１４】
ＨＤＤ１３は、大容量の記憶装置であって、その記憶領域の一部に表示部１４による表示対象となるデータ（表示対象データ）を記憶する。
【００１５】
通信インターフェイス１５は、ネットワーク接続されたパーソナルコンピューター等とのデータ通信を行うためのインターフェイスとして機能する。
【００１６】
表示部１４は、液晶ディスプレイや有機ＥＬ等からなり、ＨＤＤ１３に記憶された表示対象データや、通信インターフェイス１５を介して外部のパーソナルコンピューター等から受信した表示対象データを表示する。
【００１７】
また、表示部１４には、タッチパネル部１４１が設けられている。タッチパネル部１４１は、表示部１４上におけるユーザーによる接触を接触位置（座標位置）とともに検知する。タッチパネル部１４１は、ユーザーによる接触を検知すると、当該接触位置を示す検知信号を制御ユニット１０の後述する表示制御部１０１や操作受付部１０２等に出力する。このように、タッチパネル部１４１は、ユーザーからユーザー操作が入力される操作入力部としての役割を果たす。
【００１８】
なお、当該タッチパネル部１４１には、表示部１４上への接触がなくても、ユーザーの指等が表示部１４に対して一定距離まで接近した場合に当該指等を検出するタッチパネルも含まれる。このため、本実施形態でいう「接触」には、表示部１４への接触がなくても指等が上記一定距離まで接近したことがタッチパネル部１４１の機能により検出される状態も、実質的に接触したとして含まれるものとする。
【００１９】
また、表示装置１は、上記のタッチパネル部１４１に加えて、またはタッチパネル部１４１に換えて、物理キーを備えてもよい。当該物理キーには、例えば、矢印キー、Page Upキー、Page Downキー等がある。
【００２０】
制御ユニット１０は、ＣＰＵ（Central Processing Unit）等からなり、表示装置１全体の動作制御を司る。ＲＯＭ１１は、表示装置１の動作を制御する表示制御プログラムを記憶する。ＲＡＭ１２は、制御ユニット１０の動作領域等として使用される。
【００２１】
制御ユニット１０は、ＲＯＭ１１またはＨＤＤ１３等に記憶された表示制御プログラム従って動作することで、制御部１００、表示制御部１０１、操作受付部１０２、およびオブジェクト検出部１０３として機能する。なお、制御ユニット１０の制御部１００、表示制御部１０１、操作受付部１０２、およびオブジェクト検出部１０３は、表示制御プログラムに基づく動作によらず、それぞれハード回路により構成されてもよい。
【００２２】
制御部１００は、表示装置１全体の動作制御を司るものである。例えば、制御部１００は、通信インターフェイス１５を用いて、ネットワーク接続されたパーソナルコンピューター等との間でデータ通信を行う。
【００２３】
操作受付部１０２は、タッチパネル部１４１から出力される検知信号に基づきユーザーにより入力されたユーザー操作を特定する。そして、操作受付部１０２は、特定したユーザー操作を受け付け、当該ユーザー操作に対応する制御信号を制御部１００や表示制御部１０１等に出力する。
【００２４】
ここでユーザー操作には、スクロール操作（スワイプ操作ともいう）、選択操作（タップ操作ともいう）、ピンチ操作等がある。例えば、ユーザーが表示部１４上に指を接触させた状態で指をスライド移動させると、最初に接触を検出した初期位置から、最後に接触を検出した最終位置までの各移動位置を示す検知信号を操作受付部１０２に出力する。操作受付部１０２は、タッチパネル部１４１から出力される上記検知信号から、ユーザーにより入力されたユーザー操作がスクロール操作であることを特定する。そして、操作受付部１０２は、スクロール操作に対応する制御信号を制御部１００や表示制御部１０１等に出力する。
【００２５】
表示制御部１０１は、操作受付部１０２が受け付けたユーザー操作に基づき、表示部１４による表示動作を制御する機能を有する。例えば、操作受付部１０２がスクロール操作を受け付けた場合、表示制御部１０１は、当該スクロール操作に従い表示部１４に表示される表示画面をスクロール表示させる。
【００２６】
図２は、表示対象データの一例を示す図である。表示対象データＤ１は、背景画像部分d0とオブジェクト部分ｄ１〜ｄ７から構成される。背景画像部分d0は、単色の画像データから構成される。オブジェクト部分ｄ１〜ｄ７は、まとまった範囲に位置する文字や図形等のオブジェクトを内包する最小の矩形から構成される。図２に示す例では、オブジェクト部分ｄ１、ｄ２、ｄ４、ｄ５、ｄ７が文字を含み、オブジェクト部分ｄ３、ｄ６が図形を含んでいる。
【００２７】
図３は、表示部１４に表示される表示画面を示す図である。図３に示すように、表示部１４においてデータを表示可能な表示領域には、固定表示領域とスクロール表示領域とがある。スクロール表示領域には、スクロール操作に応じてスクロール表示を行う表示対象データＤ１が表示され、固定表示領域には、予め定められたデータＤ２が表示されている。
【００２８】
ここで、表示部１４のサイズには限りがあるため、表示対象データＤ１の全範囲をスクロール表示領域に一度に表示できない。このため図３に示す例では、表示制御部１０１は、表示対象データＤ１の一部の範囲を表示画面としてスクロール表示領域に表示させ、操作受付部１０２がユーザーからのスクロール操作を受け付けたときにスクロール表示領域に表示される表示画面をスクロール表示させる。
【００２９】
また、表示制御部１０１は、表示対象データＤ１のうち表示部１４に表示される範囲のデータ内にオブジェクトが存在するか否かを判定する。そして表示制御部１０１は、オブジェクトが存在する場合に、表示部１４にスクロールバーを表示させず、オブジェクトが存在しない場合に、表示部１４にスクロールバーを表示させる。当該表示制御部１０１の機能の詳細については後述する。
【００３０】
オブジェクト検出部１０３は、表示対象データＤ１に含まれるオブジェクトを検出する機能を有する。具体的には、オブジェクト検出部１０３は、表示対象データＤ１に対してラスタライズ処理を行うことで、ビットマップデータを得る。そして、オブジェクト検出部１０３は、当該ビットマップデータを解析することで、表示対象データＤ１に含まれるオブジェクトの数およびオブジェクトの範囲を示す情報（オブジェクト情報）を得る。
【００３１】
続いて、上記の構成を備える表示装置１の動作について説明する。図４は、表示装置１におけるスクロール表示動作の流れを示すフローチャートである。
【００３２】
操作受付部１０２が表示対象データＤ１の表示指示を受け付けた場合（ステップＳ１０においてＹＥＳ）、オブジェクト検出部１０３は、表示対象データＤ１に含まれるオブジェクトの数およびオブジェクトの範囲を示すオブジェクト情報が存在するか否かを判定する（ステップＳ１１）。
【００３３】
オブジェクト情報が存在しない場合（ステップＳ１１においてＮＯ）、オブジェクト検出部１０３は、表示対象データＤ１を解析してオブジェクト情報を生成する（ステップＳ１２）。一方、オブジェクト情報がＨＤＤ１３に記憶されていたり、オブジェクト情報が外部のパーソナルコンピューター等から送信された場合、すなわち、オブジェクト情報が存在する場合（ステップＳ１１においてＹＥＳ）、オブジェクト検出部１０３は、ステップＳ１２の処理を行わず、ＨＤＤ１３にアクセスしてオブジェクト情報を取得する。なお、オブジェクト検出部１０３は、ＨＤＤ１３に記憶されているオブジェクト情報や、外部のパーソナルコンピューター等から送信されたオブジェクト情報を、予めＲＡＭ１２等の高速の読み出しが可能な記憶部に記憶させておいてもよい。この場合、オブジェクト検出部１０３は、ＲＡＭ１２等にアクセスしてオブジェクト情報を取得する。
【００３４】
表示制御部１０１は、表示対象データＤ１のうち、スクロール表示領域内に表示する範囲（表示範囲）を特定する（ステップＳ１３）。
【００３５】
そして、表示制御部１０１は、オブジェクト検出部１０３が取得したオブジェクト情報に基づき、ステップＳ１３の処理で特定した表示範囲内にオブジェクトが存在するか否かを判定する（ステップＳ１４）。
【００３６】
オブジェクトが存在する場合（ステップＳ１４においてＹＥＳ）、表示制御部１０１は、ステップＳ１３で特定した範囲の表示対象データＤ１を表示部１４に表示させる（ステップＳ１５）。この際、表示制御部１０１は、表示部１４にスクロールバーを表示させない。
【００３７】
一方、オブジェクトが存在しない場合（ステップＳ１４においてＮＯ）、表示制御部１０１は、ステップＳ１３で特定した範囲の表示対象データＤ１、およびスクロールバーを表示部１４に表示させる（ステップＳ１６）。
【００３８】
ステップＳ１５またはステップＳ１６の処理後、操作受付部１０２がスクロール操作を受け付けた場合には（ステップＳ１７においてＹＥＳ）、表示制御部１０１は、表示部１４にスクロール表示させ（ステップＳ１８）、ステップＳ１４の処理に戻る。
【００３９】
上記のスクロール表示動作を図３および図５〜図７を用いて具体的に説明する。
【００４０】
図３に示す例では、表示範囲内の表示対象データＤ１にオブジェクト（オブジェクト部分ｄ１、ｄ２、ｄ３、ｄ４、ｄ５）が存在するため、表示制御部１０１は、表示部１４にスクロールバーを表示させていない。図３に示す状態にから操作受付部１０２がスクロール操作を受け付けると、表示制御部１０１は、表示部１４にスクロール表示させる。表示画面にはスクロールバーが表示されていないが、表示範囲内の表示対象データＤ１にオブジェクトが存在するため、ユーザーは、スクロール表示によりオブジェクトの位置が変化することを確認することで、表示画面がスクロール表示されているか否かを知ることができる。
【００４１】
図３に示す状態から表示画面をスクロール表示すると、図５に示すような表示画面になる。図５に示す例においても、表示範囲内の表示対象データＤ１にオブジェクトが存在するため、表示制御部１０１は、表示部１４にスクロールバーを表示させていない。
【００４２】
一方、図５に示す状態から表示画面を更にスクロール表示すると、図６に示すような表示画面になる。図６に示す例では、表示範囲内の表示対象データＤ１には、背景画像部分d0のみが存在し、オブジェクトが存在しない。このため、表示制御部１０１は、表示部１４にスクロールバーＤ３を表示させている。背景画像部分d0が単色の画像データから構成されるため、ユーザーは、表示画面を確認しても表示画面がスクロール表示されているか否かを知ることができない。しかしながら、表示部１４にスクロールバーＤ３が表示されているため、ユーザーは、スクロールバーＤ３を確認することで表示画面がスクロール表示されているか否かを知ることができる。
【００４３】
また、図６に示す状態から表示画面を更にスクロール表示すると、図７に示すような表示画面になる。図７に示す例では、表示範囲内の表示対象データＤ１にオブジェクト（オブジェクト部分ｄ６）が存在するため、表示制御部１０１は、表示部１４にスクロールバーを表示させていない。
【００４４】
なお、表示制御部１０１は、表示部１４にスクロールバーを表示させない場合には、表示対象データＤ１が表示される表示部１４における表示領域を、表示部１４にスクロールバーＤ３を表示させる場合に当該スクロールバーＤ３が表示される表示部１４の表示領域にまで拡大させる。これにより、スクロールバーＤ３を表示することにより、スクロールバーＤ３を表示した領域だけ表示対象データＤ１を表示する表示領域が狭まる事態を回避することができる。
【００４５】
なお、本発明は、上記の実施の形態の構成に限られず種々の変形が可能である。例えば、上記実施形態では、本発明にかかる表示装置の一実施形態としてスマートフォン等の携帯端末を例にした表示装置１を示しているが、本発明は必ずしもこの場合に限定されない。本発明は、スマートフォン等の携帯端末の他に、例えば、パーソナルコンピューターや画像形成装置等の表示部を有する機器に適用が可能である。
【００４６】
また、上記の実施の形態では、タッチパネル機能を用いたスワイプ操作により、表示部１４に表示された画像をスクロール表示させる場合を説明したが、本発明は必ずしもこの場合に限定されない。タッチパネル機能を用いないスワイプ操作により、表示部１４に表示された画像をスクロール表示させてもよい。このような操作には、例えば、マウス等に設けられたホイールボタンの回転によるスクロール操作やスクロールバーの選択によるスクロール操作がある。
【００４７】
以下では、他の変形例について説明する。
【００４８】
＜変形例１＞
図８は、変形例１にかかる表示装置におけるスクロール表示動作の流れを示すフローチャートである。なお、図４に示すフローチャートで説明した処理と同様の処理については同符号を付して説明を略する。
【００４９】
変形例１にかかる表示装置では、ステップＳ１３の処理で特定した表示範囲内にオブジェクトが存在する場合（ステップＳ１４においてＹＥＳ）、表示制御部１０１は、スクロール前の表示範囲が示す表示内容とスクロール後の表示範囲が示す表示内容とが変化するか否かを判定する（ステップＳ２０）。具体的には、表示制御部１０１は、表示画面として表示部１４に表示される範囲の表示対象データＤ１内に存在するオブジェクトが、同じオブジェクトがスクロール方向に並んで構成されているオブジェクトである場合に、スクロール前の前記表示画面が示す表示内容とスクロール後の前記表示画面が示す表示内容とが変化しないと判定する。
【００５０】
例えば、表示部１４に表示される表示画面が図９のような表示画面である場合、表示範囲内にはオブジェクト部分ｄ８が存在する。オブジェクト部分ｄ８は、同じ図形（オブジェクト）がスクロール方向に並んで構成されているオブジェクトであるため、スクロール表示したとしてもその表示内容が変わらない。すなわち、スクロール前の表示範囲が示す表示内容とスクロール後の表示範囲が示す表示内容とが変化しない。この場合、ユーザーは、スクロール表示によりオブジェクトの位置が変化することを確認できないため、表示画面がスクロール表示されているか否かを知ることができない。
【００５１】
したがって、スクロール前の表示範囲が示す表示内容とスクロール後の表示範囲が示す表示内容とが変化しない場合（ステップＳ２０においてＮＯ）、表示制御部１０１は、表示部１４にスクロールバーＤ３を表示させる（ステップＳ１６）。
【００５２】
一方、スクロール前の表示範囲が示す表示内容とスクロール後の表示範囲が示す表示内容とが変化しない場合（ステップＳ２０においてＹＥＳ）、表示制御部１０１は、表示部１４にスクロールバーＤ３を表示させない（ステップＳ１５）。
【００５３】
＜変形例２＞
変形例２にかかる表示装置では、オブジェクト検出部１０３が、表示対象データＤ１に含まれるオブジェクトを検出するだけではなく、それに加えて、検出したオブジェクトの属性を判定する。具体的には、オブジェクト検出部１０３は、検出したオブジェクトが複数の文字からなる文字オブジェクトであるか、または画像を含む画像オブジェクトであるかを判定する。
【００５４】
そして、表示制御部１０１が、表示部１４に表示される範囲のデータ内にオブジェクトが存在する場合であって、かつ、当該オブジェクトが文字オブジェクトである場合に、表示部１４にスクロールバーを表示させる。一方、表示制御部１０１は、表示部１４に表示される範囲のデータ内にオブジェクトが存在する場合であって、かつ、当該オブジェクトが画像オブジェクトである場合は、表示部１４にスクロールバーを表示させない。
【００５５】
また、表示部１４に表示される範囲のデータ内に複数のオブジェクトが存在する場合には、表示制御部１０１は、その複数のオブジェクトの全てのオブジェクトが文字オブジェクトである場合に、表示部１４にスクロールバーを表示させる。一方、表示制御部１０１は、複数のオブジェクトのうち少なくとも１つの画像オブジェクトが含まれる場合に、表示部１４にスクロールバーを表示させない。
【００５６】
表示範囲に含まれるオブジェクトが文字オブジェクトである場合には、表示画面をスクロール表示させた場合であっても、文字オブジェクトの変化に気づきにくい場合がある。変形例２にかかる表示装置によれば、文字オブジェクトの変化に気づかないために、ユーザーがスクロール表示されていることを見逃すという事態を避けることができる。
【図１】
2016185806.tif 000003
【図２】
2016185806.tif 000004
【図３】
2016185806.tif 000005
【図４】
2016185806.tif 000006
【図５】
2016185806.tif 000007
【図６】
2016185806.tif 000008
【図７】
2016185806.tif 000009
【図８】
2016185806.tif 000010
【図９】
2016185806.tif 000011
【国際調査報告】
2016185806.tif 000012
2016185806.tif 000013